(57)【要約】【課題】データベースの作成に時間をかけることなく、正確な位置からＭＰＥＧデータの再生を行えるようにする。【解決手段】ＭＰＥＧデータの読み出しを開始するのに先立って、ＭＰＥＧデータを複数に等分割し、各分割位置周辺のイントラフレームのフレーム番号を取得し（ステップＳ２）、取得したフレーム番号にいくつかを用いて分割位置間のイントラフレームのフレーム番号に対するＭＰＥＧファイル全体の位置を補う補間関数を作成しておき（ステップＳ４）、ＭＰＥＧデータの読み出し要求先のフレームのフレーム番号が送られてきたときに、フレーム番号を補間関数に代入してＭＰＥＧファイル全体に対する位置を求め、それからフレーム番号に近い、イントラフレームのフレーム番号を割り出し（ステップＳ５）、割り出したフレーム番号のイントラフレームから再生する（ステップＳ６）。【選択図】　　　　図４
2004040150.tif 000002
【特許請求の範囲】
【請求項１】
複数のフレームを含む圧縮データを格納しておく格納手段と、前記格納手段に格納してある圧縮データを命令されたイントラフレームから読み出す読み出し手段とを備えた圧縮データ再生装置であって、
前記読み出し手段で圧縮データの読み出しを開始するのに先立って、前記格納手段に格納してある圧縮データを複数に分割し、各分割位置周辺のイントラフレームのフレーム番号を取得し、前記取得したフレーム番号のいくつかを用いて分割位置間のイントラフレームのフレーム番号に対するそのＭＰＥＧファイル全体での位置を補う補間関数を作成しておき、前記圧縮データの読み出し要求先のフレームのフレーム番号が送られてきたときに、当該フレーム番号を前記補間関数に代入して当該フレーム番号に近い、イントラフレームのフレーム番号に対するＭＰＥＧファイル全体での位置を割り出し、割り出したフレーム番号のイントラフレームから読み出すように前記読み出し手段に命令する再生命令手段を備えることを特徴とする圧縮データ再生装置。
【請求項２】
複数のフレームを含む圧縮データを格納しておく格納手段と、前記格納手段に格納してある圧縮データを命令されたイントラフレームから読み出す読み出し手段とを備えた圧縮データ再生装置であって、
前記読み出し手段で圧縮データの読み出しを開始するのに先立って、前記格納手段に格納してある圧縮データを複数に等分割し、各分割位置周辺のイントラフレームのフレーム番号を取得しておき、前記圧縮データの読み出し要求先のフレームのフレーム番号が送られてきたときに二分木検索を行って、当該フレーム番号に近い、イントラフレームのフレーム番号を割り出し、割り出したフレーム番号のイントラフレームから読み出すように前記読み出し手段に命令する再生命令手段を備えることを特徴とする圧縮データ再生装置。
【請求項３】
さらに、前記再生命令手段で取得したイントラフレームの各フレーム番号を含むファイルの位置を記憶しておくデータベースを備えることを特徴とする請求項１又は２記載の圧縮データ再生装置。
【請求項４】
さらに、前記データベースに記憶してあるファイルを保存するメモリを備え、前記再生命令手段で割り出したフレーム番号を前記メモリに上書きすると共に、前記読み出し手段で圧縮データを読み出しているときに、前記再生命令手段で読み出し対象のイントラフレームのフレーム番号からファイルの位置を取得して、前記メモリのファイルを上書きすることを特徴とする請求項３記載の圧縮データ再生装置。
【請求項５】
前記再生命令手段は、前記読み出し手段で圧縮データを読み出し終えた後に、前記メモリに記憶してあるファイルを前記データベースに戻すことを特徴とする請求項４記載の圧縮データ再生装置。
【請求項６】
さらに、前記読み出し手段によって読み出された圧縮データを配信する通信制御手段を備えることを特徴とする請求項１から５のいずれか１項記載の圧縮データ再生装置。
【請求項７】
請求項１から６のいずれか１項記載の圧縮データ再生装置に対して前記圧縮データの読み出し要求先のフレームのフレーム番号を送信し、当該フレーム番号の送信に応じて前記圧縮データ再生装置で読み出された圧縮データを表示することを特徴とする表示装置。
【請求項８】
さらに、前記圧縮データからの圧縮データを受信する通信制御手段と、前記通信制御手段によって受信された圧縮データを復号する復号手段と、前記復号手段で復号された圧縮データを表示する表示手段とを備えることを特徴とする請求項７記載の表示装置。
【請求項９】
請求項１から６のいずれか１項記載の圧縮データ再生装置と、請求項７又は８記載の表示装置とを備える圧縮データ再生システム。
【請求項１０】
複数のフレームを含む圧縮データを、命令されたイントラフレームから読み出す圧縮データ再生方法であって、
前記圧縮データの読み出しを開始するのに先立って、当該圧縮データを複数に等分割し、各分割位置周辺のイントラフレームのフレーム番号を取得し、前記取得したフレーム番号のいくつかを用いて分割位置間のイントラフレームのフレーム番号に対するそのＭＰＥＧファイル全体での位置を補う補間関数を作成しておき、前記圧縮データの読み出し要求先のフレームのフレーム番号が送られてきたときに、当該フレーム番号を前記補間関数に代入して当該フレーム番号に近い、イントラフレームのフレーム番号を割り出し、割り出したフレーム番号から読み出すことを特徴とする圧縮データ再生方法。
【請求項１１】
複数のフレームを含む圧縮データを、命令されたイントラフレームから読み出す圧縮データ再生方法であって、
前記圧縮データの読み出しを開始するのに先立って、当該圧縮データを複数に等分割し、各分割位置周辺のイントラフレームのフレーム番号を取得しておき、前記圧縮データの読み出し要求先のフレームのフレーム番号が送られてきたときに二分木検索を行って、当該フレーム番号に近い、イントラフレームのフレーム番号を割り出し、割り出したフレーム番号のイントラフレームから読み出すことを特徴とする圧縮データ再生方法。
【請求項１２】
前記イントラフレームの各フレーム番号およびそのファイル全体に対する位置情報を記憶しておくことを特徴とする請求項１０又は１１記載の圧縮データ再生方法。
【請求項１３】
前記割り出したフレーム番号を取得して前記ファイルを上書きし、前記圧縮データを読み出しているときに、読み出し対象の圧縮データのイントラフレームのフレーム番号およびファイル全体に対する位置を取得して、前記ファイルを上書きすることを特徴とする請求項１２記載の圧縮データ再生方法。
【請求項１４】
前記読み出した圧縮データを配信することを特徴とする請求項１０から１３いずれか１項記載の圧縮データ再生方法。
【請求項１５】
請求項１０から１４のいずれか１項記載の圧縮データ再生方法を実現する圧縮データ再生装置に対して前記圧縮データの読み出し要求先のフレームのフレーム番号を送信し、当該フレーム番号の送信に応じて前記圧縮データ再生装置で読み出された圧縮データを表示することを特徴とする表示方法。
【請求項１６】
前記圧縮データからの圧縮データを受信し、当該圧縮データを復号して表示することを特徴とする請求項１５記載の表示方法。
【発明の詳細な説明】
【０００１】
【発明の属する技術分野】
本発明は、圧縮データ再生装置、方法及びシステムに関し、特に、ＭＰＥＧ（Ｍｏｖｉｎｇ　Ｐｉｃｔｕｒｅ　Ｅｘｐｅｒｔｓ　Ｇｒｏｕｐ）データなどの圧縮データ再生装置、方法及びシステムに関する。
【０００２】
【従来の技術】
従来、ＭＰＥＧデータを指定した時間から、再生するにはこれまで、再生開始位置を検出するために、再生が可能なイントラフレーム（Ｉフレーム（Ｉ−Ｆｒａｍｅ））に割り当てられているプレゼンテーションタイムスタンプ（ＰＴＳ）等のフレーム番号の全てを予めデータベースに記憶しておいたり、ファイルサイズおよびＭＰＥＧデータの先頭および終端のＰＴＳを探索することにより得られる総再生時間から再生開始概算位置を求め、その直後のＩフレームから再生していた。
【０００３】
【発明が解決しようとする課題】
しかし、従来の技術は、ＭＰＥＧデータが総再生時間の長いファイルの場合だと、データベースの作成に時間がかかるという問題がある。
【０００４】
また、再生開始概算位置を求めるだけだと、正確な位置からＭＰＥＧデータの再生を行えないという問題がある。
【０００５】
そこで、本発明は、データベースの作成に時間をかけることなく、正確な位置からＭＰＥＧデータの再生を行えるようにすることを課題とする。
【０００６】
【課題を解決するための手段】
上記課題を解決するために、本発明は、複数のフレームを含む圧縮データを格納しておく格納手段と、前記格納手段に格納してある圧縮データを命令されたイントラフレームから読み出す読み出し手段とを備えた圧縮データ再生装置であって、前記読み出し手段で圧縮データの読み出しを開始するのに先立って、前記格納手段に格納してある圧縮データを複数に分割し、各分割位置周辺のイントラフレームのフレーム番号に対するＭＰＥＧファイル全体に対する位置を取得し、前記取得したフレーム番号のいくつかを用いて分割位置間のイントラフレームのフレーム番号に対するフレーム番号に対するＭＰＥＧファイル全体での位置を補う補間関数を作成しておき、前記圧縮データの読み出し要求先のフレームのフレーム番号が送られてきたときに、当該フレーム番号を前記補間関数に代入して求められたＭＰＥＧファイル全体に対する位置に近い、イントラフレームのフレーム番号を割り出し、割り出したフレーム番号のイントラフレームから読み出すように前記読み出し手段に命令する再生命令手段を備えることを特徴とする。
【０００７】
また、本発明は、複数のフレームを含む圧縮データを格納しておく格納手段と、前記格納手段に格納してある圧縮データを命令されたイントラフレームから読み出す読み出し手段とを備えた圧縮データ再生装置であって、前記読み出し手段で圧縮データの読み出しを開始するのに先立って、前記格納手段に格納してある圧縮データを複数に等分割し、各分割位置周辺のイントラフレームのフレーム番号を取得しておき、前記圧縮データの読み出し要求先のフレームのフレーム番号が送られてきたときに二分木検索を行って、当該フレーム番号に近い、イントラフレームのフレーム番号を割り出し、割り出したフレーム番号のイントラフレームから読み出すように前記読み出し手段に命令する再生命令手段を備えることを特徴とする。
【０００８】
さらに、本発明の表示装置は、上記何れかの圧縮データ再生装置に対して前記圧縮データの読み出し要求先のフレームのフレーム番号を送信し、当該フレーム番号の送信に応じて前記圧縮データ再生装置で読み出された圧縮データを表示することを特徴とする。
【０００９】
さらにまた、本発明の圧縮データ再生システムは、上記いずれかの圧縮データ再生装置と、表示装置とを備える。
【００１０】
また、本発明は、複数のフレームを含む圧縮データを、命令されたイントラフレームから読み出す圧縮データ再生方法であって、前記圧縮データの読み出しを開始するのに先立って、当該圧縮データを複数に等分割し、各分割位置周辺のイントラフレームのフレーム番号を取得し、前記取得したフレーム番号のいくつかを用いて分割位置間のイントラフレームのフレーム番号に対するフレーム番号に対するＭＰＥＧファイル全体での位置を補う補間関数を作成しておき、前記圧縮データの読み出し要求先のフレームのフレーム番号が送られてきたときに、当該フレーム番号を前記補間関数に代入して当該フレーム番号に近い、イントラフレームのフレーム番号を割り出し、割り出したフレーム番号のイントラフレームから読み出すことを特徴とする。
【００１１】
さらに、本発明は、複数のフレームを含む圧縮データを、命令されたイントラフレームから読み出す圧縮データ再生方法であって、前記圧縮データの読み出しを開始するのに先立って、当該圧縮データを複数に等分割し、各分割位置周辺のイントラフレームのフレーム番号を取得しておき、前記圧縮データの読み出し要求先のフレームのフレーム番号が送られてきたときに二分木検索を行って、当該フレーム番号に近い、イントラフレームのフレーム番号を割り出し、割り出したフレーム番号のイントラフレームから読み出すことを特徴とする。
【００１２】
さらにまた、本発明の表示方法は、上記いずれかの圧縮データ再生方法を実現する圧縮データ再生装置に対して前記圧縮データの読み出し要求先のフレームのフレーム番号を送信し、当該フレーム番号の送信に応じて前記圧縮データ再生装置で読み出された圧縮データを表示することを特徴とする。
【００１３】
【発明の実施の形態】
以下、本発明の実施形態について図面を参照して説明する。
【００１４】
（実施形態１）
［構成の説明］
図１は、本発明の実施形態１の圧縮データ再生システムの模式的な構成を示すブロック図である。
【００１５】
図１には、以下説明するように、圧縮データであるＭＰＥＧデータが格納されたホームサーバ１０と、ホームサーバ１０にＭＰＥＧデータの再生、高速再生、停止、一時停止等の命令を出し、ホームサーバ１０から配信されたＭＰＥＧデータをモニタに表示等するクライアントパーソナルコンピュータ（ＰＣ）２０とを示している。
【００１６】
ホームサーバ１０は、ＭＰＥＧデータを格納してあるファイル格納部１１と、ファイル格納部１１からＭＰＥＧデータを読み出すＭＰＥＧ読み出し部１２と、ＭＰＥＧ読み出し部１２で読み出されたＭＰＥＧデータをクライアントＰＣ２０側へ配信する通信制御部１３と、クライアントＰＣ２０側からの要求に応じてファイル格納部１１に格納してあるＭＰＥＧデータを例えば１６等分割していくつかの分割位置近傍のＩ−Ｆｒａｍｅのフレーム番号およびフレーム番号に対するＭＰＥＧファイル全体での位置を含むデータベースファイルを作成する再生命令部１４と、再生命令部１４で作成されたデータベースファイルを格納するデータベース１５と、ＭＰＥＧデータの再生の際にデータベース１５に格納されたデータベースファイルが一時的に書き込まれるメモリ１６とを備えている。
【００１７】
クライアントＰＣ２０は、ホームサーバ１０側から配信されたＭＰＥＧデータを受け取る通信制御部２１と、通信制御部２１で受信されたＭＰＥＧデータを復号するＭＰＥＧ復号器２２と、ＭＰＥＧ復号器２２で復号されたデータを表示したりホームサーバ１０へＭＰＥＧデータの配信要求等を出力するためのＧＵＩ（Ｇｒａｐｈｉｃａｌ　Ｕｓｅｒ　Ｉｎｔｅｒｆａｃｅ）２３とを備えている。
【００１８】
図２，図３は、図１のファイル格納部１１に格納してあるＭＰＥＧデータの模式的な構造図である。
【００１９】
図２に示すように、ＭＰＥＧデータは、ＰＡＣＫ１０１とＰＥＳ１０２〜１０６等とを含んでいる。ＰＥＳにはＶｉｄｅｏ（映像）ＰＥＳ１０２〜１０４，１０６とＡｕｄｉｏ（音声）ＰＥＳ１０５とがある。
【００２０】
また、図３に示すように、ＰＥＳ１０２〜１０６等には、そこに記録されているＶｉｄｅｏおよびＡｕｄｉｏを再生するべきＰＴＳ（Ｐｒｅｓｅｎｔａｔｉｏｎ　Ｔｉｍｅ　Ｓｔａｍｐ）が記録されている。なお、図３には、ＰＥＳ２０１のＰＴＳを９００９、ＰＥＳ２０２のＰＴＳを１２０１２、ＰＥＳ２０３のＰＴＳを１５０１５とした例を示している。ＶｉｄｅｏＰＥＳ２０２には図示しているようにＰＥＳヘッダを含む各種情報が格納されている。
【００２１】
ここで、例えば、クライアントＰＣ２０側から、ＭＰＥＧデータの読み出し要求先のフレームのフレーム番号が送られてくると、このフレーム番号がＩ−ｆｒａｍｅのものであるかどうかが分からないので、このフレーム番号に相当するＰＴＳが１００００であれば、その近傍に位置するＰＴＳが１２０１２のＩ−ｆｒａｍｅから読み出しをするようにしている。
【００２２】
［動作の説明］
図４は、図１の再生命令部１４の動作の説明図である。
【００２３】
図４を用いつつ図１の圧縮データ再生システムの動作について説明する。
【００２４】
まず、ホームサーバ１０側では、ＭＰＥＧデータをファイル格納部１１に格納しておく。この状態で、クライアントＰＣ２０側から、ＭＰＥＧデータを再生するために、ＧＵＩ２３を通じて、ＭＰＥＧデータの読み出し要求先のフレームのフレーム番号を含むＭＰＥＧデータの配信要求が出力されると、再生命令部１４は、ＭＰＥＧデータの再生に先立って、データベース１５を参照してデータベースファイルが既に作成されて格納されているかどうかを判別する（ステップＳ１）。
【００２５】
判別の結果、データベース１５にデータベースファイルが格納されていない場合には、再生命令部１４はデータベースファイルを作成する（ステップＳ２）。
【００２６】
具体的には、以下のようにしてデータベースファイルを作成する。すなわち再生命令部１４は、ファイル格納部１１に格納してあるＭＰＥＧデータを例えば１６等分割して各分割位置近傍のＩ−ＦｒａｍｅのＰＥＳと、そのＰＥＳが割り当てられたＩ−ｆｒａｍｅのＭＰＥＧデータ全体に対する信号とを含むデータベースファイルを作成する。
【００２７】
また、判別の結果、データベース１５を参照してデータベースファイルが格納されている場合にはデータベース１５からデータベースファイルを読み出し、また、再生命令部１４によってデータベースファイルが作成された場合には、そのデータベースファイルをメモリ１６に書き込む（ステップＳ３）。
【００２８】
それから、再生命令部１４は、メモリ１６に書き込まれたデータベースファイルを参照して、例えばＭＰＥＧデータの読み出し要求先のフレームのフレーム番号周辺のＮ個のフレーム番号とそれらの位置とからＮ次補間関数を作成する（ステップＳ４）。
【００２９】
そして、Ｎ次補間関数にクライアントＰＣ２０で指定されたＭＰＥＧデータの読み出し要求先のフレームのフレーム番号を代入して、ＭＰＥＧファイル全体での位置情報を求め、その位置に近いＩ−Ｆｒａｍｅのフレーム番号およびそのＭＰＥＧファイル全体に対する位置を割り出す（ステップＳ５）。
【００３０】
つぎに、再生命令部１４は、割り出したフレーム番号のフレームからＭＰＥＧデータを読み出すように命令し、ＭＰＥＧ読み出し部１２はその命令に従ってファイル格納部１１に格納されているＭＰＥＧデータを読み出して、通信制御部１３を通じてクライアントＰＣへ配信する（ステップＳ６）。
【００３１】
同時に、ＭＰＥＧ読み出し部１２によって読み出されたＭＰＥＧデータは、再生命令部１４にも出力される。再生命令部１４は、ＭＰＥＧ読み出し部１２から出力されたＭＰＥＧデータのＰＥＳを参照して、Ｉ−Ｆｒａｍｅが検出されると、Ｉ−ｆｒａｍｅの位置及びフレーム番号を取得して、メモリ１６に追加記録していく（ステップＳ７）。
【００３２】
そして、再生命令部１４は、クライアントＰＣ２０からＭＰＥＧデータの再生を終了する命令が出されたかどうかの判別を行う（ステップＳ８）。
【００３３】
判別の結果、クライアントＰＣ２０からＭＰＥＧデータの再生を終了する命令が出されていなければステップＳ６に戻り、クライアントＰＣ２０からＭＰＥＧデータの再生を終了する命令が出されていればメモリ１６のデータベースファイルを、データベース１５へ格納して図４に示す処理を終了する。
【００３４】
なお、クライアントＰＣ２０から、ＭＰＥＧデータの再生の一時停止、再生の停止の命令がされたときにも、メモリ１６のデータベースファイルを、データベース１５へ格納するようにしてもよい。
【００３５】
また、本実施形態では、ＭＰＥＧデータを１６等分割する場合を例に説明したが、これに限定されず、例えば１０等分割でも、２０等分割でもよいし、また等分割でなくてもよい。さらに、例えば１６等分割しても、なお分割した領域が大きすぎて、有効な位置検出を行えない場合には、圧縮データの読み出し要求先のフレーム番号を受信したときなどに、さらに、適当な領域を例えば１６等分割して、補間関数の信頼性を向上するようにしてもよい。
【００３６】
（実施形態２）
図５は、本発明の実施形態２に係る再生命令部１４の動作の説明図である。
【００３７】
なお、本実施形態の圧縮データ再生システムの構成は図１と同様である。また、データベースファイルの作成手法も実施形態１で説明した通りである。
【００３８】
まず、実施形態１で説明したように、再生命令部１４は、データベース１５を参照してデータベースファイル既に作成されて格納されているかどうかを判別する（ステップＳ１１）。
【００３９】
判別の結果、データベース１５にデータベースファイルが格納されていない場合には、再生命令部１４はＭＰＥＧのデータの先端及び終端近傍のＩ−ｆｒａｍｅのフレーム番号に対応したＭＰＥＧファイル全体に対する位置を求め、それらを検出開始位置及び検出終了位置とする（ステップＳ１２）。
【００４０】
一方、判別の結果、データベース１５にデータベースファイルが格納されている場合には、読み出し要求先のフレーム番号を最も狭く挟めるＩ−ｆｒａｍｅのフレーム番号に対応したＭＰＥＧファイル全体に対する位置をデータベース１５を参照することによって算出して、それらを検出開始位置及び検出終了位置とする（ステップＳ１３）。
【００４１】
それから、検出開始位置と検出終了位置との中点近傍のＩ−ｆｒａｍｅのフレーム番号を求める（ステップＳ１４）。
【００４２】
そして、検出開始位置と検出終了位置との間の長さがＳｋｂｙｔｅ以下になったかどうかを判別する（ステップＳ１５）。
【００４３】
ここで、Ｓは例えばＧＯＰの長さと同程度としている。これは、ＭＰＥＧデータのほとんどが、ＧＯＰ内に基本的にはＩ−ｆｒａｍｅが一つしかないので、これ以上狭い範囲内でＩ−ｆｒａｍｅが存在することは稀であり、これ以上二分木検索を行う必要性がないためである。
【００４４】
判別の結果、検出開始位置と検出終了位置との間の長さがＳｋｂｙｔｅ以下であった場合には、検出開始位置と検出終了位置との中点近傍のＩ−ｆｒａｍｅからＭＰＥＧデータの再生を開始して、図５に示す処理を終了する（ステップＳ１９）。
【００４５】
一方、判別の結果、検出開始位置と検出終了位置との間の長さがＳｋｂｙｔｅ以下でなかった場合には、読み出し要求先のフレーム番号が、検出開始位置と検出終了位置との中点近傍のＩ−ｆｒａｍｅのフレーム番号よりも大きいかどうか判別する（ステップＳ１６）。
【００４６】
そして、読み出し要求先のフレーム番号が、検出開始位置と検出終了位置との中点近傍のＩ−ｆｒａｍｅのフレーム番号よりも大きい場合には、その中点近傍のＩ−ｆｒａｍｅのフレーム番号を検出開始位置として、ステップＳ１４へ戻る（ステップＳ１７）。
【００４７】
一方、読み出し要求先のフレーム番号が、検出開始位置と検出終了位置との中点近傍のＩ−ｆｒａｍｅのフレーム番号よりも大きくない場合には、その中点近傍のＩ−ｆｒａｍｅのフレーム番号を検出終了位置として、ステップＳ１４へ戻る（ステップＳ１８）。
【００４８】
なお、図５に示す処理の終了後は、図４のステップＳ６移行の処理と同様である。
【００４９】
【発明の効果】
以上、説明したように、本発明は、全てのイントラフレームのフレーム番号を予め記憶しておく必要がないので、ファイルが長くてもデータベースの作成時間を少なくすることができるし、再生開始概算位置を求めるのではないので、圧縮データの読み出し要求に対して正確な位置から圧縮データの再生を行うことができる。
【００５０】
特に、圧縮データを再生しているときに、データベースを更新するためにデータベースファイルを作成しているので、圧縮データの読み出し先を検出するまでの検出時間を短縮できたり、検出レベルを向上できる。
【図面の簡単な説明】
【図１】本発明の実施形態１の圧縮データ再生システムの模式的な構成を示すブロック図である。
【図２】図１のファイル格納部１１に格納してあるＭＰＥＧデータの模式的な構造図である。
【図３】図１のファイル格納部１１に格納してあるＭＰＥＧデータの模式的な構造図である。
【図４】図１の再生命令部１４の動作の説明図である。
【図５】本発明の実施形態２に係る再生命令部１４の動作の説明図である。
【符号の説明】
１０　ホームサーバ
１１　ファイル格納部
１２　ＭＰＥＧ読み出し部
１３　通信制御部
１４　再生命令部
１５　データベース
１６　メモリ
２０　クライアントＰＣ
２１　通信制御部
２２　ＭＰＥＧ復号器
２３　ＧＵＩ
【図１】
2004040150.tif 000003
【図２】
2004040150.tif 000004
【図３】
2004040150.tif 000005
【図４】
2004040150.tif 000006
【図５】
2004040150.tif 000007